(57)【特許請求の範囲】
【請求項１】
複数の装置間でデジタルビデオ信号の伝送を行う通信装置において、
送信されたデジタルビデオ信号を受信するインタフェース手段と、
画面の水平及び垂直画素数を示す制御情報を、前記受信されたデジタルビデオ信号の画像データを含まない制御情報フィールドから得る手段と、
前記得られた制御情報を用いて前記受信されたデジタルビデオ信号を復号するデータ処理制御部と、
復号されたデジタルビデオ信号を蓄積するメモリと、
を備え、
前記データ処理制御部は、前記制御情報が変更された場合に、前記画像データとは別に受信された当該変更後の制御情報に従ってデジタルビデオ信号を復号することを特徴とする通信装置。
【発明の詳細な説明】
【技術分野】
【０００１】
本発明は、通信回線を伝送媒体として画像を送受信する通信装置に関するものである。
【背景技術】
【０００２】
従来、このような通信装置として、図４に示すようなテレビ電話装置がある。
【０００３】
１はデジタル通信回線と接続するための回線インタフェース部、２３はデータ伝送部、３は電話部、２４は画像情報や各種制御情報を処理するデータ処理制御部、２５は操作部、６は表示用メモリ、７はＤ／Ａコンバータ、８は表示メモリ６の画像を表示するための表示部、９は画像を撮影するための撮像部、１０はＡ／Ｄコンバータ、１１は取込用メモリ、２１はデジタル通信回線、２２は回線終端装置（以下では「ＤＳＵ」と略称す）である。
【０００４】
次に動作について説明する。撮像部９で撮影した人物像などの画像はＡ／Ｄコンバータ１０でデジタルビデオ信号に変換されて取込用メモリ１１に蓄積される。取込用メモリ１１に記憶されたデジタルビデオ信号は、データ処理制御部２４で画像圧縮処理が行われ画像データに変換されてデータ伝送部２３へ送られる。データ伝送部２３では画像データをデジタル通信回線の伝送速度にあわせたシリアルデータに変換して回線インタフェース部１に送り、ＤＳＵ２２およびデジタル通信回線２１を介して相手端末へ送出する。
【０００５】
相手の端末が本装置と同一構成のテレビ電話であるとすると、相手端末はＤＳＵ２２からの画像データを、回線インタフェース部１を介してデータ伝送部２３で受信する。データ伝送部２３では、シリアルデータから画像データを抽出してデータ処理制御部２４へ送る。データ処理制御部２４では画像データの復号化処理を行いデジタルビデオ信号に変換する。このデジタルビデオ信号は表示用メモリ６に蓄積され、Ｄ／Ａコンバータ７でアナログビデオ信号に変換され、表示部８に表示される。
【発明の開示】
【発明が解決しようとする課題】
【０００６】
しかしながら、上記従来の装置では、始めにユーザ間でお互いに送信しあう画像の画面規格を取り決め、画像通信をはじめた後、それぞれのユーザが送信中の画像の画面規格あるいは受信中の画像の画面規格を任意に変更することはできなかった。
【０００７】
本発明は、この様な点を鑑みてなされたもので、その目的は、画像通信中に相手ユーザへ送信中の画像の画面規格をユーザが任意に変更するのみならず、相手ユーザから送られてくる画像の画面規格をも任意に遠隔制御する事のできるテレビ電話装置を提供することにある。
【課題を解決するための手段】
【０００８】
本願発明に係る通信装置は、複数の装置間でデジタルビデオ信号の伝送を行う通信装置において、送信されたデジタルビデオ信号を受信するインタフェース手段と、画面の水平及び垂直画素数を示す制御情報を、前記受信されたデジタルビデオ信号の画像データを含まない制御情報フィールドから得る手段と、前記得られた制御情報を用いて前記受信されたデジタルビデオ信号を復号するデータ処理制御部と、復号されたデジタルビデオ信号を蓄積するメモリを備え、前記データ処理制御部は、前記制御情報が変更された場合に、前記画像データとは別に受信された当該変更後の制御情報に従ってデジタルビデオ信号を復号することを特徴とする。
【発明の効果】
【０００９】
本発明の通信装置は、上述のような構成としているので、送信する画像のタイプや相手の装置等に応じて、画像通信中に相手に送信する画像の画面画素数をユーザが任意に変更できる。
【００１０】
また、送信側と受信側でお互いに送信しあう画像の画面画素数を取り込め、制御情報をやり取りした後に、データの送信を行う必要がなく、直接制御情報を付加したデータを送信して受信側の制御を行うため、１対多の送信である放送などの制御において、受信側の応答を待たずにデータの送信を行うことができる。
【００１１】
さらに、連続する動画像中において、画面画素数が可変する位置にのみ、制御情報を付与するようにしたため、全体の伝送量の増加を防ぐとともに、受信側においては直前のフレームから画素数が変更されたか否かを判断することなく、復号処理を行うことが可能となり、復号時の処理の負担を軽減することが可能となる。
【発明を実施するための最良の形態】
【００１２】
以下、この発明を図示の実施例により詳細に説明する。図１は本実施例のテレビ電話装置の回路構成を示すブロック図であり、図４に示す従来のテレビ電話装置に制御情報処理部１２を追加し、データ伝送部２３、データ処理制御部２４、操作部２５を改良したものである。
【００１３】
ここで、制御情報処理部１２は操作部５から入力された画面規格選択入力あるいはデータ伝送部２を介して受信された制御情報に従ってデータ処理制御部４に指示を出す働きと、操作部５から入力された画面規格選択入力に従った制御情報をデータ伝送部２に出力する働きをしている。
【００１４】
データ伝送部２は、制御情報処理部１２から入力された制御情報を画像データと共に相手ユーザへ伝送したり、相手ユーザから伝送された制御情報を制御情報処理部１２へ出力する働きをする。
【００１５】
本発明の装置の動作を説明する。撮像部９で撮影した人物像などの画像は、Ａ／Ｄコンバータ１０でデジタルビデオ信号変換されて取込用メモリ１１に蓄積される。取込用メモリ１１に記憶されたデジタルビデオ信号は、制御情報処理部１２の指示に従ってデータ処理制御部４で画像圧縮処理が行われ画像データに変換されてデータ伝送部２へ送られる。
【００１６】
データ伝送部２では画像データあるいは画面規格の制御情報をデジタル通信回線の伝送速度にあわせたシリアルデータに変換して回線インタフェース部１へ送り、ＤＳＵ２２およびデジタル通信回線２１を介して相手端末へ送出する。
【００１７】
相手端末はＤＳＵ２２からの画像データを、回線インタフェース部１を介してデータ伝送部２で受信する。データ伝送部２では、シリアルデータから画像データを抽出してデータ処理部４へ送り、同様に画面規格の制御情報を抽出し制御情報処理部１２へ送る。制御情報処理部１２では、画面規格の制御情報をデータ処理制御部４に出力する。
【００１８】
データ処理制御部４では上記制御情報に応じて画像データの復号化処理を行ないデジタルビデオ信号に変換する。このデジタルビデオ信号は表示用メモリ６に蓄積され、Ｄ／Ａコンバータ７でアナログビデオ信号に変換され、表示部８に表示される。
【００１９】
本発明の一実施例では、伝送する画像の画面規格を３種類用意している。それぞれの画面規格の水平方向（以下「Ｈ」と略す）、垂直方向（以下「Ｖ」と略す）の画素数は高解像度モードでは５１２（Ｈ）×４８０（Ｖ）画素、標準モードでは２５６（Ｈ）×２４０（Ｖ）画素、高速モードでは１２８（Ｈ）×１２０（Ｖ）画素としている。また階調数は３種類のモードとも同じで、輝度信号、色差信号共に２５６階調としている。
【００２０】
画面規格の制御情報の伝送フォーマットを図２に示す。画面の制御情報は図２に示す制御情報フィールドにコーディングされ、相手装置に送られる。制御情報のみの伝送の場を図２（ａ）に、画像データとともに伝送する場合を図２（ｂ）に示す。
【００２１】
ある装置ユーザが送信中の画像の画面規格を変更する場合は、操作部５にある釦を押すことにより切り換え信号が制御情報処理部１２に入力される。送信する映像信号は、制御情報処理部１２の指示に従ってデータ処理制御部４でその画面規格にあった画像圧縮が行なわれ画像データに変換されてデータ伝送部２へ送られる。
【００２２】
データ伝送部２では図２（ａ）に示す様に制御情報だけを、あるいは図２（ｂ）に示す様に送信中の画像データに画面規格の制御情報を多重して、相手ユーザ装置に伝送する。
【００２３】
一方、相手ユーザから受信中の画像の画面規格を変更したい場合は、操作部５にある釦を押すことにより切り換え信号を制御情報処理部１２に入力し、データ伝送部２を介して図２（ａ）に示す様に制御情報だけを、あるいは図２（ｂ）に示す様に送信中の画像データに画面規格の制御情報を多重して、相手ユーザ装置に伝送する。
【００２４】
制御情報を受信した相手ユーザ装置は制御情報処理部１２から、制御情報に従ってデータ処理制御部４へ指示をだす。その指示に従って画像圧縮処理が行われ画像データに変換される。この画像データの送出方法は、上記の相手ユーザへ画像データを送出する場合と同様なのでここでは省略する。
【００２５】
次にデータ伝送部について説明する。図３にデータ伝送部２のブロック図を示す。ここで３１はデジタル通信回線を介して送受信される情報チャネルの信号をパラレルデータに変換したり、逆にパラレルデータを情報チャネルの信号に変換するためのシリアルインタフェース回路（以下では「ＳＩ／Ｆ」と略称する）である。ＳＩ／Ｆ３１には回線インフェース部１よりクロック信号が与えられる。
【００２６】
３２はこのデータ伝送部全体を制御するためのＣＰＵである。３４はランダムアクセスメモリ（以下では「ＲＡＭ」と略称する）、３５はリードオンリメモリ（以下では「ＲＯＭ」と略称する）である。３６はデータ処理制御部４とＣＰＵ３２との間でデータをやり取りするためのパラレルインタフェース（以下では「ＰＩ／Ｆ」と略称する）で、３３は制御情報処理部１２とＣＰＵ３２との間で制御情報をやり取りするためのインタフェース（以下では「Ｉ／Ｆ」と略称する）である。
【００２７】
相手端末であるテレビ電話装置からの受信データは回線インタフェース部１よりＳＩ／Ｆ３１に受信されＣＰＵ３２によりＲＡＭ３４に一旦蓄積される。ＲＡＭ３４に蓄積されたデータの中で、画像データはＰＩ／Ｆ３６を介してデータ制御部４へ送られ、制御情報はＩ／Ｆ３６を介してデータ制御部４へ送られる。
【００２８】
一方、データ処理制御部４からの画像データはＰＩ／Ｆ３６を介してＲＡＭ３４へ取り込まれる。また、制御情報は、制御情報処理部１２からＩ／Ｆ３３を介してＲＡＭ３４へ取り込まれる。ＲＡＭ３４に取り込まれた画像データ及び制御情報は多重されＳＩ／Ｆ３１を介して情報チャネル信号に変換されて回線インタフェース部１に送られて、相手端末であるテレビ電話装置へ伝送される。
【００２９】
この様にして、画像通信中にユーザ相互間で画像の画面規格の制御情報を送受信する事により、画像通信中に相手ユーザへ送信中の画像の画面規格をユーザが任意に変更するのみならず相手ユーザから送られてくる画像の画面規格をも任意に変更する事のできる装置を提供することができる。
【図面の簡単な説明】
【００３０】
【図１】本発明の一実施例のテレビ電話装置の回路構成を示すブロック図である。
【図２】本発明の一実施例における制御信号の伝送フォーマットの説明図である。
【図３】本発明の一実施例におけるデータ伝送部の回路構成を示すブロック図である。
【図４】従来のテレビ電話装置の回路構成を示す図である。
【符号の説明】
【００３１】
１  回線インタフェース部
２  データ伝送部
３  電話部
４  データ処理制御部
５  操作部
２１  デジタル通信回線
２２  ＤＳＵ
【図１】
0003618741.tif 000002
【図２】
0003618741.tif 000003
【図３】
0003618741.tif 000004
【図４】
0003618741.tif 000005